(57)【要約】【課題】  表示機能の与えられる半透明板（表示部）の全面において充分に発光可能である看板を提供する。【解決手段】  看板１は、貫通孔１２を、所定間隔を置いて二次元にわたり複数有する発泡合成樹脂シート２と、各貫通孔１２の内側に配置されるＬＥＤ素子２０と、発泡合成樹脂シート２の前方に配置される表示部としての半透明のアクリル板とを備える。【効果】  看板１において、ＬＥＤ素子２０が間隔を置いて配置されていてもムラのない綺麗な表示部とすることができる。【選択図】  図１
2007279324.tif 000002
【特許請求の範囲】
【請求項１】
貫通孔を、所定間隔を置いて二次元にわたり複数有する発泡合成樹脂シートと、
各貫通孔の内側に配置されるＬＥＤと、
発泡合成樹脂シートの前方に配置される半透明板と
を備えたことを特徴とする看板。
【請求項２】
所定間隔が、１０ｍｍ以上３０ｍｍ以下である
ことを特徴とする請求項１に記載の看板。
【請求項３】
発泡合成樹脂シートの後面に背板が固定されているとともに、
貫通孔が、背板にも連続するように形成されており、
貫通孔の少なくとも背板部分が、前方へ広がるテーパ状に形成されている
ことを特徴とする請求項１又は請求項２に記載の看板。
【請求項４】
ＬＥＤが、貫通孔から突出している
ことを特徴とする請求項１ないし請求項３のいずれかに記載の看板。
【請求項５】
ＬＥＤが、基板上に搭載されているとともに、
基板の前側に、発泡合成樹脂シートが固定されている
ことを特徴とする請求項１ないし請求項４のいずれかに記載の看板。
【発明の詳細な説明】
【技術分野】
【０００１】
本発明は、ＬＥＤを用いた看板に関する。
【背景技術】
【０００２】
従来の看板に用い得る導光板として、下記特許文献１に記載のものが知られている。この導光板は、透明合成樹脂板の一面に発泡合成樹脂シートを貼って成る。
【０００３】
【特許文献１】特開２００６−３９４９４号公報
【発明の開示】
【発明が解決しようとする課題】
【０００４】
このような導光板では、全面にわたる充分な量の発光を得ようとすると、多くのＬＥＤが必要になり、その設置構成や電源の構成等が煩雑になる。又、サイズの大きい導光板では、中央部が暗くなるおそれがある。
【０００５】
そこで、請求項１に記載の発明は、表示機能の与えられる半透明板（表示部）の全面において充分に発光可能である看板を提供することを目的としたものである。
【課題を解決するための手段】
【０００６】
上記目的を達成するために、請求項１に記載の発明は、貫通孔を、所定間隔を置いて二次元にわたり複数有する発泡合成樹脂シートと、各貫通孔の内側に配置されるＬＥＤと、発泡合成樹脂シートの前方に配置される半透明板とを備えることを特徴とするものである。
【０００７】
請求項２に記載の発明は、上記目的に加えて、少ないＬＥＤでも効率良く充分な発光を得る目的を達成するため、所定間隔が、１０ｍｍ以上３０ｍｍ以下であるものである。
【０００８】
請求項３に記載の発明は、上記目的に加えて、より一層効率良く均一に発光させる目的を達成するため、発泡合成樹脂シートの後面に背板が固定されているとともに、貫通孔が、背板にも連続するように形成されており、貫通孔の少なくとも背板部分が、前方へ広がるテーパ状に形成されていることを特徴とするものである。
【０００９】
請求項４に記載の発明は、上記目的に加えて、より一層効率良く均一に発光させる目的を達成するため、ＬＥＤが、貫通孔から突出していることを特徴としたものである。
【００１０】
請求項５に記載の発明は、上記目的に加えて、低コストで効率良い構成とする目的を達成するため、ＬＥＤが、基板上に搭載されているとともに、基板の前側に、発泡合成樹脂シートが固定されていることを特徴としたものである。
【発明の効果】
【００１１】
請求項１に記載の発明によれば、貫通孔を、所定間隔を置いて二次元にわたり複数有する発泡合成樹脂シートと、各貫通孔の内側に配置されるＬＥＤと、発泡合成樹脂シートの前方に配置される半透明板とを備えている。よって、ＬＥＤからの発光を発泡合成樹脂シートで拡散することができ、ＬＥＤが間隔を置いて配置されていてもムラのない綺麗な表示部とすることができる、という効果を奏する。
【００１２】
請求項２に記載の発明によれば、所定間隔が、１０ｍｍ以上３０ｍｍ以下であることで、上記効果に加えて、一般的な輝度を呈するＬＥＤにあって、表示部を均一に発光させることができ、かつ広い表示部であってもＬＥＤの数を少なくすることができる、という効果を奏する。
【００１３】
請求項３に記載の発明によれば、発泡合成樹脂シートの後面に背板が固定されているとともに、貫通孔が、背板にも連続するように形成されており、貫通孔の少なくとも背板部分が、前方へ広がるテーパ状に形成されていることで、ＬＥＤの発光を斜め前方にも導くことができ、斜め前方への光は表示部を発光させる他、表示部に反射されて発泡合成樹脂シートへ到達するので、表示部の均一な発光に寄与する、という効果を奏する。
【００１４】
請求項４に記載の発明によれば、ＬＥＤが、貫通孔から突出していることで、上記効果に加えて、ＬＥＤの発光の一部を直接発泡合成樹脂シートへ到達させることができ、発泡合成樹脂シートによる反射を積極的に利用して、表示部の綺麗な発光を提供することができる、という効果を奏する。
【００１５】
請求項５に記載の発明によれば、ＬＥＤが、基板上に搭載されているとともに、基板の前側に、発泡合成樹脂シートが固定されていることで、上記効果に加えて、均一な発光をするための看板の構成を低コストでコンパクトに構成することができる、という効果を奏する。
【発明を実施するための最良の形態】
【００１６】
以下、本発明の一実施形態に係る看板につき、適宜図面に基づいて説明する。図１（ａ）は当該看板１の内部正面説明図であり、図１（ｂ）は図１（ａ）のＬＥＤ素子部断面説明図であって、看板１は、図示しない機枠の内部に、発泡合成樹脂シート２と、ＬＥＤ基板４とを備えている。
【００１７】
発泡合成樹脂シート２は、ＰＥＴ（ポリエチレンテレフタレート）を気泡率８０％で発泡成形したものであり、気泡の平均径が１０μｍ程度となった長方形状の部材である。発泡合成樹脂シート２の後面には、同シートと厚み以外同寸である金属製の背板１０が、辺部を合致させて固定されている。そして、発泡合成樹脂シート２から背板１０にかけて、貫通孔１２が、所定間隔を置いて二次元にわたり複数円形に開けられており、より詳しくは、発泡合成樹脂シート２の縦辺や横辺に沿う線上に所定間隔を置いて並んでおり、換言すれば所定間隔の格子点に配置されている。ここでの所定間隔は、３０ｍｍ（ミリメートル）である。貫通孔１２の背板１０における部分は、前方へ広がるテーパ状に形成されている。
【００１８】
ＬＥＤ基板４は、看板１の後側にある図示しない電源部と電気的に接続されており、その上に載せられた複数のＬＥＤ素子（発光ダイオード）２０を点灯可能である。ＬＥＤ基板４は、発泡合成樹脂シート２や背板１０と厚み以外同寸であり、ＬＥＤ素子２０は、貫通孔１２に対応するように配置されている。そして、ＬＥＤ基板４は、背板１０の後側において、背板１０と辺部を合致させて固定されている。このとき、各ＬＥＤ素子２０は、対応する貫通孔１２の内部に位置する。貫通孔１２の大きさは、ＬＥＤ素子２０より大きくなっている。又、各ＬＥＤ素子２０は、貫通孔１２の前面より前方へ突出している。
【００１９】
そして、看板１において、図示しない機枠の前面の大部分を、ＬＥＤ基板４と厚み以外ほぼ同寸で半透明の乳白アクリル板とし、これに平行に発泡合成樹脂シート２等を収納することで、アクリル板部分が発光可能な表示部となっている。
【００２０】
以上の看板１では、貫通孔１２を、所定間隔を置いて二次元にわたり複数有する発泡合成樹脂シート２と、各貫通孔１２の内側に配置されるＬＥＤ素子２０と、発泡合成樹脂シート２の前方に配置される表示部としての半透明のアクリル板とを備えるので、ＬＥＤ素子２０からの発光を発泡合成樹脂シート２で拡散することができ、ＬＥＤ素子２０が間隔を置いて配置されていてもムラのない綺麗な表示部とすることができる。
【００２１】
又、ＬＥＤ素子２０が格子点に配置されており、その格子の縦横の所定間隔が３０ｍｍとされているので、一般的な輝度を呈するＬＥＤ素子２０にあって、表示部を均一に発光させることができ、かつ広い表示部であってもＬＥＤ素子２０の数を少なくすることができ、ＬＥＤ素子２０の配置を必要充分なものとすることができる。
【００２２】
なお、一般的な輝度を呈するＬＥＤにおいて、間隔が３０ｍｍ以下であれば、ムラの気にならない均一な表示部とすることができ、３０ｍｍを超えるとそうではなくなる。又、間隔が１０ｍｍ未満では、ＬＥＤの数が多すぎ、コストや消費電力の点で比較的に不利となる。
【００２３】
更に、発泡合成樹脂シート２の後面に背板１０が固定されているとともに、貫通孔１２が、背板１０にも連続するように形成されており、貫通孔１２における背板１０の部分が、前方へ広がるテーパ状に形成されているため、ＬＥＤ素子２０の発光を斜め前方にも導くことができ、斜め前方への光は表示部を発光させる他、表示部に反射されて発泡合成樹脂シート２へ到達するので、表示部の均一な発光に寄与する。
【００２４】
又更に、ＬＥＤ素子２０が、貫通孔１２から突出しているため、ＬＥＤ素子２０の発光の一部を直接発泡合成樹脂シート２へ到達させることができ、発泡合成樹脂シート２による反射を積極的に利用して、表示部の綺麗な発光を提供することができる。
【００２５】
加えて、ＬＥＤ素子２０が、ＬＥＤ基板４上に搭載されているとともに、ＬＥＤ基板４の前側に、発泡合成樹脂シート２が固定されているので、均一な発光をするための看板の構成をコンパクトに構成することができる。
【００２６】
なお、主に上記実施形態を変更して成る、本発明の他の実施形態を例示する。発泡合成樹脂シートの材質や気泡率、気泡の平均径につき、高い全反射率（概ね９５％以上）を確保できる状態で、適宜変更する。又、発泡合成樹脂シートや基板、背板等の寸法を、互いに違うものにしたり、厚みを合わせたものにしたりする等、適宜変更する。あるいは、背板や表示部の材質や寸法等を適宜変更する。またこれらの形状を適宜変更する。
【００２７】
ＬＥＤ素子や貫通孔の配置を、六角形の頂点に相当する位置としたり、平行四辺形の頂点に相当する位置としたりする。ＬＥＤ素子を、基板上でなく、それぞれ独立して設置する。ＬＥＤ素子につき、その頭部を貫通孔の前部と一致させたり、貫通孔より後方に設置したりする。貫通孔を、発泡合成樹脂シートの部分を含めて前方へ広がるテーパ状とする。
【図面の簡単な説明】
【００２８】
【図１】本発明の実施形態に係る看板の（ａ）内部正面説明図、（ｂ）（ａ）のＬＥＤ素子部断面説明図である。
【符号の説明】
【００２９】
１    看板
２    発泡合成樹脂シート
４    ＬＥＤ基板
１０    背板
１２    貫通孔
２０    ＬＥＤ素子
【図１】
2007279324.tif 000003